(57)【要約】【課題】  螺合最終段階まで螺合組付けされた本体キャップと計量キャップとの間の、螺合組付きの径時なじみによる緩みが発生しないようにすることにより、計量キャップにより容器体の安定した確実な密閉保持をえることを目的とする。【解決手段】  容器体１６の口筒部１７に密に組付いた本体キャップ１の嵌入筒２と、本体キャッップ１に密に螺合組付きする計量キャップ１１の計量筒１２との間に、螺合最終段階で乗り越え係止する係止機能部分を設け、この係止機能部分の係止力により、径時なじみによる螺合組付き緩み発生を防止する。【選択図】  図１
2010173712.tif 000002
【特許請求の範囲】
【請求項１】
容器体の口筒部に密にかつ不動に組付き、前記口筒部内に位置する嵌入筒の底壁から注出内容液をガイドする注出筒片を立設した本体キャップと、該本体キャップに密に螺着し、前記注出筒片を覆って嵌入筒内に挿入される有頂筒状の計量筒を有する計量キャップとから構成され、前記嵌入筒の内周面に本体側係止突部を設けると共に、前記計量筒の外周面に、螺合最終段階で前記本体側係止突部に乗り越え係止する計量側係止突部を設けた計量キャップ付き注出栓。
【請求項２】
計量側係止突部を、計量筒の外周面下端部に設けた請求項１に記載の計量キャップ付き注出栓。
【請求項３】
本体側係止突部および計量側係止突部を、周突条状に設けた請求項１または２に記載の計量キャップ付き注出栓。
【請求項４】
本体側係止突部および計量側係止突部の少なくとも一方を、周方向に沿って断続して設けた請求項１または２に記載の計量キャップ付き注出栓。
【発明の詳細な説明】
【技術分野】
【０００１】
本発明は、ボトル状容器体の口筒部に組付いて、内容液の注出をガイドする本体キャップと、この本体キャップに螺合により着脱して、注出された内容液を計量する計量キャップとから成る計量キャップ付き注出栓に関するものである。
【背景技術】
【０００２】
液体洗剤等の内容液を収容している合成樹脂製ブローボトル等の容器体から、内容液を注出使用する際に、この注出内容液の注出量を計量することができるように、容器体の注出栓に計量機能を付与したものが利用されている。
【０００３】
この計量機能付き開閉キャップである計量キャップ付き注出栓の一つとして、特開平１１−１２４１５５号公報に示された、容器体の口筒部に密に組付き、容器体の口筒部内に位置した嵌入筒の底壁から、内容液をガイドして注出する注出筒片を立設した本体キャップと、この本体キャップに密に螺着し、本体キャップの注出筒片を覆って嵌入筒内に挿入される計量筒を有する計量キャップとから構成されたものが知られている。
【０００４】
上記した従来技術にあっては、内容液を計量注出したい際には、計量キャップの計量筒を利用して、計量筒の目盛り等を見ながら所望する量を計量して注出することができる。
【０００５】
しかしながら、上記した従来技術にあっては、計量キャップは、容器体の口筒部に組付けられる本体キャップに螺合組付けされるものであるので、計量キャップの本体キャップに対する螺合組付きに、キャッピング後の径時なじみにより緩みが発生し易く、これにより容器体のシール性が劣化するとか、場合によっては内容液の漏出が発生すると云う問題があった。
【先行技術文献】
【特許文献】
【０００６】
【特許文献１】特開平１１−１２４１５５号公報
【発明の概要】
【発明が解決しようとする課題】
【０００７】
そこで、本発明は、上記した従来技術における問題点を解消すべく創案されたもので、螺合最終段階まで螺合組付けされた本体キャップと計量キャップとの間の、螺合組付きの径時なじみによる緩みが発生しないようにすることを技術的課題とし、もって計量キャップにより容器体の安定した確実な密閉保持を得ることを目的とする。
【課題を解決するための手段】
【０００８】
上記技術的課題を解決するための本発明の主たる構成は、
容器体の口筒部に密にかつ不動に組付き、容器体の口筒部内に位置する嵌入筒の底壁から、注出内容液をガイドする注出筒片を立設した本体キャップを有すること、
この本体キャップに密に螺着し、本体キャップの注出筒片を覆って嵌入筒内に挿入される有頂筒状の計量筒を有する計量キャップを有すること、
本体キャップの嵌入筒の内周面に本体側係止突部を設けること、
計量キャップの計量筒の外周面に、螺合最終段階で本体側係止突部に乗り越え係止する計量側係止突部を設けること、
にある。
【０００９】
本体キャップに対して計量キャップが螺合最終段階まで螺合すると、本体側係止突部に対して計量側係止突部が乗り越え係止し、この係止力は、計量キャップを本体キャップに対して螺脱方向に変位させようとする力に対して、抵抗力として作用するので、本体キャップに螺合組付きしている計量キャップの径時なじみによる緩み発生を阻止することになる。
【００１０】
本体側係止突部と計量側係止突部の係止による係止力は、単に螺合組付きの自然な緩みを防止するだけのものであり、本体キャップと計量キャップの間の螺合力に比べればきわめて小さなものであるので、本体キャップと計量キャップの着脱操作の邪魔となることはない。
【００１１】
本体側係止突部と計量側係止突部の係止は、乗り越え係止であるので、係止する際、すなわち螺合最終段階で乗り越え係止する際に、わずかな衝撃および衝撃音が発生し、これを感じ取ることができる。
【００１２】
本発明の別の構成は、上記した主たる構成に加えて、計量キャップの計量側係止突部を、計量筒の外周面下端部に設けた、ものである。
【００１３】
計量側係止突部を計量筒の外周面下端部、すなわち計量筒の下端開口部付近に設けたので、計量側係止突部を設けた計量筒部分の弾性変形が得易く、計量側係止突部と本体側係止突部との間の係脱動作が円滑となる。
【００１４】
また、本発明の別の構成は、上記した主たる構成に加えて、本体側係止突部および計量側係止突部を、周突条状に設けた、ものである。
【００１５】
本体側係止突部および計量側係止突部が共に周突条状であるので、嵌入筒と計量筒は、その全周に亘り係止することになり、均等な係止力が作用する。
【００１６】
また、本発明の別の構成は、上記した主たる構成に加えて、本体側係止突部および計量側係止突部の少なくとも一方を、周方向に沿って断続して設けた、ものである。
【００１７】
本体側係止突部および計量側係止突部の少なくとも一方を、周方向に沿って断続して設けているので、係止突部の長さや間隔を適当に設定することにより、両係止突部の係止力を簡単に変更設定することができる。
【発明の効果】
【００１８】
本発明は、上記した構成となっているので、以下に示す効果を奏する。
本発明の主たる構成にあっては、本体側係止突部と計量側係止突部の係止により、本体キャップに対する計量キャップの螺合組付きの径時の緩み発生が阻止されるので、容器本体の密閉が確保され、これにより内容液の品質劣化を起こす恐れがないと共に、内容液の不正漏出による不都合の発生を無くすことができる。
【００１９】
本体側係止突部と計量側係止突部の係止は、本体キャップと計量キャップの螺合動作に殆ど影響を与えないので、円滑な螺合動作を維持することができる。
【００２０】
本体側係止突部と計量側係止突部の乗り越え係脱時に、係脱によるわずかな衝撃が感触されるので、この衝撃が適度なクリック感を生じて、好ましい使用感を得ることができ、また衝撃の触感や衝撃音により、計量キャップによる密閉が確実に達成されたことを確認することができる。
【００２１】
計量側係止突部を、計量筒の外周面下端部に設けたものにあっては、計量側係止突部と本体側係止突部との間の係脱動作が円滑となるので、計量側係止突部および本体側係止突部に影響されることなく、本体キャップと計量キャップの螺合による円滑な着脱動作を維持することができる。
【００２２】
本体側係止突部および計量側係止突部を、周突条状に設けたものにあっては、嵌入筒と計量筒が全周に亘り係止するので、均等な係止力が作用し、これにより本体キャップと計量キャップの緩み防止のための係止力を好適に作用させることができる。
【００２３】
本体側係止突部および計量側係止突部の少なくとも一方を、周方向に沿って断続して設けたものにあっては、本体側係止突部と計量側係止突部の間の係止力を簡単に変更設定することができるので、所望する係止力を簡単に設定することができる。
【図面の簡単な説明】
【００２４】
【図１】容器体に組付いた本発明の一実施形態例の、縦断面図である。
【図２】本発明の他の実施形態例の、要部縦断面図である。
【図３】本体キャップの一実施形態例の、一部破断した縦断面図である。
【図４】本体キャップの他の実施形態例の、一部破断した縦断面図である。
【図５】計量キャップの一実施形態例の、外観図である。
【図６】計量キャップの他の実施形態例の、外観図である。
【発明を実施するための形態】
【００２５】
以下、本発明の実施形態を、図面を参照しながら説明する。
本発明による計量キャップ付き注出栓は、本体キャップ１と計量キャップ１１とから構成されており、本体キャップ１は、内容液を収納するボトル状の容器体１６の口筒部１７に組付き、計量キャップ１１は、この本体キャップ１に着脱可能に螺合して、容器体１６を開閉する。
【００２６】
本体キャップ１（図１参照）は、内周面に本体側係止突部６を設け、容器体１６の口筒部１７に密に嵌入する嵌入筒２と、この嵌入筒２の底壁３に立設された注出筒片５と、嵌入筒２の上端に外鍔状に連設され、組付け筒８を起立設した頂壁７と、この頂壁７の外周端から垂下設された装着筒９とから構成されている。
【００２７】
底壁３は、やや後側に偏った箇所に下降傾斜したテーパ壁状をしており、その前側部分に開設された注出開口４の開口縁に、樋状となった注出筒片５が起立設されており、この注出筒片５の開口側部の下端が位置する底壁３の最下位の部分が、容器体１６内への内容液の戻り口となっている。
【００２８】
組付け筒８は、計量キャップ１１を螺合組付けする部分であり、装着筒９は、本体キャップ１を容器体１６に螺合組付けする部分で、その下端には回り止め片１０が設けられており、この回り止め片１０を、容器体１６の回り止め凹部１８に係合させることにより、容器体１６に対する本体キャップ１の螺合の緩み発生を防止している。
【００２９】
計量キャップ１１（図１参照）は、本体キャップ１に組付いた状態で下半分を嵌入筒２内に挿入する有頂筒形状をし、外周面に計量側係止突部１３を設けた計量筒１２と、この計量筒１２の略中央高さ位置から外鍔状に周設されたフランジ壁１４と、このフランジ壁１４の周端から垂下設されて、組付け筒８に密に螺合する螺合筒１５とから構成されている。
【００３０】
計量筒１２は、その下半部分を、狭い隙間を形成して嵌入筒２内に挿入させ、計量側係止突部１３は、計量キャップ１１が本体キャップ１に最終段階まで螺合した状態で本体側係止突部６に乗り越え係止する位置に設けられている。
【００３１】
図１に示した実施形態例の場合、計量側係止突部１３は、計量筒１２の外周面下端部、すなわち計量筒１２の下端開口部間近に設けられており、計量筒１２の開口部の弾性変形のし易さにより、本体側係止突部６と計量側係止突部１３の係脱が行い易くなるようにしている。
【００３２】
この計量側係止突部１３および本体側係止突部６の設置高さ位置は、特定されることはなく、例えば図２に示すように、嵌入筒２と計量筒１２が狭い隙間で対向する部分の上側寄りに設けてもよい。
【００３３】
計量キャップ１１を本体キャップ１に螺合させて、本体側係止突部６に計量側係止突部１３を乗り越え係止させると、この係止力は、螺合の緩みに伴う計量キャップ１１の本体キャップ１に対する上昇変位を阻止し、これにより計量キャップ１１の径時なじみによる緩みの発生を防止する。
【００３４】
本体側係止突部６および計量側係止突部１３は、図３および図５の示すように、周方向に連続した周突条状の構成にしても、図４および図６に示すように、周方向に沿って断続して、複数に分割して設けてもよい。
【００３５】
本体側係止突部６および計量側係止突部１３共に周突条状に構成した場合は、本体側係止突部６と計量側係止突部１３を、嵌入筒２および計量筒１２の全周に亘って均等に係止させることができ、本体側係止突部６と計量側係止突部１３が安定して係止することになる。
【００３６】
また、本体側係止突部６および計量側係止突部１３の一方を周突条状とし、他方を断続突片状とした場合には、断続突片状となった側の突片の長さや数を調整することにより、本体側係止突部６と計量側係止突部１３の係止力を、所望する強さに設定するのが容易となる。
【００３７】
さらに、本体側係止突部６と計量側係止突部１３の両方を断続突片状とすることも可能ではあるが、この場合、本体キャップ１と計量キャップ１１の螺合最終段階で、本体側係止突部６と計量側係止突部１３とを、位置合せできる配置に構成する。
【００３８】
次に、図示実施形態例の動作を説明する。
図１に示した「閉」状態から、計量キャップ１１を螺脱方向に回動させると、本体キャップ１に対する計量キャップ１１の螺脱動作に伴う、計量キャップ１１の上昇変位により、本体側係止突部６に対して計量側係止突部１３が乗り越えて係止が解除されて、計量キャップ１１が螺脱されて「開」状態となる。
【００３９】
この本体側係止突部６に対する計量側係止突部１３の乗り越えは、本体キャップ１に対する計量キャップ１１の螺脱動作に伴う引上げ力により達成されるが、この計量キャップ１１の引上げ力は、本体側係止突部６と計量側係止突部１３の係止力に比べてはるかに強大であるので、本体側係止突部６と計量側係止突部１３の係止解除は、無理なく簡単に達成できる。
【００４０】
容器体１６を「閉」状態にするには、本体キャップ１に計量キャップ１１を螺着させて行き、螺合最終段階で、計量側係止突部１３を本体側係止突部６に乗り越え係止させることにより達成される。
【００４１】
この際、本体側係止突部６に対する計量側係止突部１３の乗り越えに要する力に対して、本体キャップ１に対する計量キャップ１１の螺着動作に伴う押下げ力ははるかに強大であるので、本体側係止突部６に対する計量側係止突部１３の乗り越え係止は、無理なく簡単に達成される。
【００４２】
なお、上記説明においては、本体キャップ１の口筒部１７に対する組付きが螺合組付きとなっているが、本体キャップ１の口筒部１７に対する組付きは、螺合に限ることはなく、例えばアンダーカット組付きであっても良い。
【産業上の利用可能性】
【００４３】
以上説明したように、本発明における本体キャップと計量キャップとの螺合組付き構造は、着脱操作に影響しないわずかなアンダーカット結合力により、螺合結合の径時による緩み発生を確実に防止するものであり、合成樹脂製製品における螺合結合に関する技術として、幅広い利用展開が期待できる。
【符号の説明】
【００４４】
１  ；本体キャップ
２  ；嵌入筒
３  ；底壁
４  ；注出開口
５  ；注出筒片
６  ；本体側係止突部
７  ；頂壁
８  ；組付け筒
９  ；装着筒
１０；回り止め片
１１；計量キャップ
１２；計量筒
１３；計量側係止突部
１４；フランジ壁
１５；螺合筒
１６；容器体
１７；口筒部
１８；回り止め凹部
【図１】
2010173712.tif 000003
【図２】
2010173712.tif 000004
【図３】
2010173712.tif 000005
【図４】
2010173712.tif 000006
【図５】
2010173712.tif 000007
【図６】
2010173712.tif 000008